(57)【特許請求の範囲】
【請求項１】
搬送経路（２）に設けられた少なくとも１つの作業ステーション（１，１４，１５）を備え、その際、特に１つの作業ステーションが折り曲げられた印刷紙葉給紙機（１）であり、この給紙機が印刷紙葉（６）を個別化しかつ折り曲げられた印刷紙葉を開放し、また、印刷紙葉給紙機（１）によりそれぞれに給紙される多数の載置台（４）と、エンドレスに循環する搬送機構（１６）とを備え、この載置台が搬送機構（１６）上に並べて取付けられ、印刷紙葉（６）の折目（７）の領域がそれぞれ、各載置台（４）のエッジ部（８）にそれぞれ載せられて支持可能であり、その際、載置台（４）が、搬送機構（１６）において各々、搬送機構（１６）の搬送方向（３）に及びその搬送方向（３）とは逆方向に旋回可能に枢着されており、互いに間隔をおいて順々に作業ステーション（１，１４，１５）の傍らを案内され、そしてその給紙の間に旋回する、折り曲げられた印刷紙葉（６）を処理するための装置において、
載置台（４）のエッジ部（８）が少なくとも作業ステーション（１，１４，１５）の領域内で搬送機構（１６）の搬送方向（３）に対して斜めに延在することを特徴とする装置。
【請求項２】
載置台のエッジ部（８）と搬送方向（３）との間の角度（α）が３０°から６０°の範囲内であることを特徴とする請求項１に記載の装置。
【請求項３】
前記角度（α）がほぼ４５°であることを特徴とする請求項２に記載の装置。
【請求項４】
個々の印刷紙葉（６）の折目（７）と向かい合う自由端（１２）が給紙機（１）によって開放され、この印刷紙葉（６）が搬送方向（３）に対して斜めに向けられた給紙方向でそれぞれの載置台（４）に載置されることを特徴とする、請求項１から３までのいずれか１つに記載の装置。
【請求項５】
載置台（４）が、そのエッジ部（８）に対して平行に若しくはそのエッジ部（８）の方向に給紙されることを特徴とする、請求項１から４までのいずれか１つに記載の装置。
【請求項６】
印刷紙葉給紙機（１）が載置台（４）にそのエッジ部（８）に対して横方向に給紙することを特徴とする、請求項１から４までのいずれか１つに記載の装置。
【請求項７】
給紙機（１）が搬送経路（２）と並んでわきに設けられていることを特徴とする、請求項１から６までのいずれか１つに記載の装置。
【請求項８】
載置台（４）が持ち上げ可能に形成されていることを特徴とする請求項１に記載の装置。
【請求項９】
少なくとも他の１つの作業ステーション（１５）が綴じ加工機であり、この加工機によって、載置台（４）に載せられた印刷紙葉（６）がその折目（７）で綴じられることを特徴とする、請求項１から７までのいずれか１つに記載の装置。
【請求項１０】
隣接する載置台（４）の間隔が載置台の高さよりも大きいことを特徴とする、請求項１から９までのいずれか１つに記載の装置。
【発明の詳細な説明】
【０００１】
【発明の属する技術分野】
本発明は、搬送経路に設けられた少なくとも１つの作業ステーションを備え、その際、特に１つの作業ステーションが折り曲げられた印刷紙葉給紙機であり、この給紙機が印刷紙葉を個別化しかつ折り曲げられた印刷紙葉を開放し、また、印刷紙葉給紙機によりそれぞれに給紙される多数の載置台と、エンドレスに循環する搬送機構とを備え、この載置台が搬送機構上に並べて取付けられ、印刷紙葉の折目の領域がそれぞれ、各載置台のエッジ部にそれぞれ載せられて支持可能であり、その際、載置台が、搬送機構において各々、搬送機構の搬送方向に及びその搬送方向とは逆方向に旋回可能に枢着されており、互いに間隔をおいて順々に作業ステーションの傍らを案内され、そしてその給紙の間に旋回する、折り曲げられた印刷紙葉を処理するための装置に関する。
【０００２】
【従来の技術】
この種の装置はヨーロッパ特許公開第 0 551 055号明細書から周知である。この装置は印刷物を集め、引き続きそれらを綴じることに役立つ。この印刷物は搬送装置内で綴じる前に、搬送方向に対して横方向に循環する収容部材で拡げられて供給される。
【０００３】
他の丁合綴じ機は、ヨーロッパ特許公開第 0 681 923号明細書に示されているが、しかし載置台のエッジ部は搬送方向と平行に延在する。
積層体から折り曲げられた紙葉を取出すこと、及びそのような紙葉を搬送装置上に置くことは、1961年のスイス特許公開第 408 065号明細書に示すようにかなり前から知られている。
【０００４】
しかし、搬送方向に対して横方向に延在する載置台を備えた上記の様式の装置は、実施には成功をみなかった。その理由は、給紙が比較的にコストのかかるものでということにある。それに対して、搬送方向と平行に延在する載置台を備えた装置は成功をみたが、しかし、搬送速度及びそれに伴う性能をさらに高めることが制限される可能性があるという欠点がある。
【０００５】
【発明が解決しようとする課題】
本発明の根底にある課題は、印刷紙葉の給紙が簡単であると共に、高い性能が得られるような上記の様式の装置を提供することにある。
【０００６】
【課題を解決するための手段】
この課題は本発明により、載置台のエッジ部が少なくとも作業ステーションの領域内で搬送機構の搬送方向に対して斜めに延在する装置によって解決される。本発明による装置では、ヨーロッパ特許公開第 0 681 923号の明細書に従う長手方向搬送による装置に比べて、印刷紙葉がより接近した列で導かれるので、同じ速度で高い性能を達成できる。載置台のエッジ部が搬送機構の搬送方向に対して斜めに延在するので、載置台への給紙がはるかに容易である。本発明は、一方では簡単な給紙を可能にし、他方では高い性能を可能にする。
【０００７】
綴じ加工ステーション並びに接着機は、本発明による装置の場合、容易に使用することができる。
他の有利な特徴は、それに関連する特許請求の範囲、以下の記載並びに図面から明らかである。
【０００８】
【発明の実施の形態】
以下、図面を用いて本発明の実施形態をより詳細に説明する。
図１及び図２において、本発明による装置は多数の給紙機１を備えている。図３において、この給紙機１内では、積層マガジン１３からの印刷紙葉６の一枚一枚が反対方向に回転する開口体１７により開放され、そしてその各々が鞍型の載置台に降ろされる。この鞍型の載置台は、図３に概略的に示した旋回軸５で搬送機構１６に枢着されている。各々の載置台４はその上端に水平に延在するエッジ部８を備え、このエッジ部８は、図３で最も左側に示した載置部４5 のように、ほぼ中央部で折り曲げられた印刷紙葉６を収容するために役立つ。図３から明らかであるように、載置台４1 〜４5 またはそのエッジ部は、印刷紙葉を収容する領域内において、先ず矢印３で示した搬送方向と同方向に旋回し、そして反対方向に旋回する。この旋回運動のための駆動力は、ここでは図示しないクランク式駆動装置により搬送機構１６から導入される。載置台４を旋回させることにより、印刷紙葉１と協働する領域内における載置台のエッジ部の相対速度は値０になるまで減少せることが可能になる。このことは、載置台４に作用する機構の簡素化を可能にする。このことについては、1995年11月 1日付けのスイス国特許出願第03088/95号明細書に開示されている。ここで本発明の開示のためにその明細書を引き合いに出す。
【０００９】
特に図１に示すように、鞍状の載置台４またはそのエッジ部８は搬送経路２に対して斜めに延在する。この斜めに整向することに相応して、同様に給紙機１が搬送経路に対して斜めに整向されている。さらに積層マガジン１３は、図１に示すように、このマガジン１３を補充するためにオペレーター１８が装置のわきに並んで立つことができるように配置されている。オペレーター１８の代わりに自動的な充填装置を使用することもできる。搬送経路２に対して横方向に延在する載置台のエッジ部を備えた装置では、そのような自動的な補充装置にコストのかかる転向装置を装備しなければならない。
【００１０】
載置台４を矢印３の方向に搬送されるような搬送機構１６は、２つの転向ホイル１９または２０及び２つの駆動ホイール２０または１９を備えている。図１及び図２において、このホイール１９及び２０は載置台４の斜めの姿勢に相応して矢印３の方向にずれている。図１に示す角度αは０°より大きくかつ９０°よりも小さく、特に、３０°から６０°の間である。この角度はほぼ４５°であることが特に有利である。
【００１１】
載置台４が給紙のために上昇し、引き続き下降可能に形成されている時、給紙工程を促進することが可能になる。
図示した実施の形態では、印刷紙葉の給紙機１が載置台にそのエッジ部に対して横方向に給紙する。しかし、載置台４をそのエッジ部８に平行に給紙することも可能である。そのような平行な送りの場合、印刷紙葉の給紙機１が搬送機構１６に並んでわきに設けられ、そして、ここでもオペレーター或いは自動装置によって簡単に補充することができる。
【００１２】
載置台４がホイール１９及び２０の周囲を回転できるようにするため、隣接する載置台４の間隔はこの載置台の高さよりも幾分大きくなるように選択されている。載置台４は、特に上側の搬送経路１６ａと下側の搬送経路１６ｂとにおいて搬送経路２に対して斜めに整向されている。しかし、基本的には、給紙機１の領域内で載置台を斜めに整向するこをが重要である。接着機１４或いは綴じ加工ステーション１５の領域内では、載置台４は搬送方向に対して直角に延在していてもよい。
【図面の簡単な説明】
【図１】本発明による装置の概略的な平面図である。
【図２】図１の装置の概略的な側面図である。
【図３】本発明に従う装置の概略的な部分正面図である。
【符号の説明】
１        給紙機
３        搬送方向
４        載置台
５        旋回軸
６        印刷紙葉
１３        集積マガジン
１４        接着機
１５        綴じ加工機
１６        搬送機構
１９，２０  ホイール
【図１】
0004018196.tif 000002
【図２】
0004018196.tif 000003
【図３】
0004018196.tif 000004